(57)【特許請求の範囲】
【請求項１】
扉の表面に固定した縦長の台座、この台座とほぼ平行な位置関係で上下方向に延在する縦長のハンドル、第１リンク及び第２リンクを夫々回り対偶を介して連結して連鎖を構成し、第１リンクの基端及び先端はそれぞれ第１枢軸及び第２枢軸で台座及びハンドルの上端部に枢着すると共に、第２リンクの先端及び基端はそれぞれ第３枢軸及び第４枢軸でハンドルの下端部及び台座に枢着し、第１枢軸及び第２枢軸の間隔を第３枢軸及び第４枢軸の間隔と同じくすると共に、第１枢軸及び第３枢軸の間隔を第２枢軸及び第４枢軸のそれと同じくし、以て、第１枢軸〜第４枢軸を順次結ぶ４個のリンクに平行四辺形リンク機構を形成させ、また、上記平行四辺形リンク機構にはそのリンク機構を第１リンクとハンドルとが鋭角をなす平常位置に戻すための戻しばねを弾装し、一方、上記第１枢軸と第４枢軸の間で、第１枢軸の近傍における台座に第５枢軸を設け、この第５枢軸によって連動リンクの一端を台座に回動可能に枢着すると共に、連動リンクの他端は軸と長孔の組で成る回動及び滑動可能な連係手段で第１リンクの先端に接続させ、以て、連動リンクの長さを第１リンクのそれより大きくし、他方、上記連動リンクの台座側の側面に錠箱の内側に延出する作動片を一体的に結合し、その先端を錠箱内のラッチの受動片に係合可能に臨ませ、ハンドルをそのストロークの限度内で一杯に押し引きしたとき、第１リンクに駆動されて回動する作動片の先端がラッチの受動片を変位させるようにしたことを特徴とする扉のハンドル装置。
【発明の詳細な説明】
【０００１】
【発明の属する技術分野】
この発明は扉に設けられたラッチ錠を操作する扉のハンドル装置の改良に関する。更に詳しくは、平行四辺形をなすリンク機構を備えた可動型のハンドル装置の改良に関する。
【０００２】
【従来の技術】
従来のこの種の装置としては、本願人が以前に出願した扉のハンドル装置（実願平７−８８７８３号）又は実用新案登録第２５０８３６６号公報に示されたものを挙げることができる。
【０００３】
それらのハンドル装置によれば、平行四辺形のリンク機構の存在により、扉上の台座に対し縦長のハンドルが常に平行をなして動くようにしてあるので、ハンドルをどの位置で握ってもほぼ等しい操作力でスムーズに操作できる利点がある。
【０００４】
しかしながら、扉内のラッチの受動片に対し開扉時作動を呈する作動片は、リンク機構の一部をなす第１リンク（第１揺動部材）及び第２リンク（第２揺動部材）の一方に固定的に設けてあるので、台座に対し平行であって２つのリンクを介して揺動変位するハンドルの操作ストロークはかなりの制限を受けることになる。
【０００５】
すなわち、元々受動片の変位量は小さく、それに連係される作動片の変位量も小さく、ひいてはリンク機構の揺動角度（回動角度）が小さく制限されることになり、結果的にハンドルの操作における揺動ストロークが大きく取れないことになる。
【０００６】
ハンドルの操作ストロークがあまり小さ過ぎると、操作者にしっかりとした操作感を与えることができず、換言すると、操作者に正常なストロークをガタと勘違いいさせることになり、好ましくない。この傾向は、長期の使用において緩みが生じてくると、一層顕著に表れるようになる。
【０００７】
【発明が解決しようとする課題】
この発明は、平行四辺形をなすリンク機構を備えた扉のハンドル装置において、ハンドルの操作ストロークを可及的に大きくすることを目的として提案されたものである。
【０００８】
【課題を解決するための手段】
上記の目的を達成するため、この発明の扉のハンドル装置は、扉の表面に固定した縦長の台座、この台座とほぼ平行な位置関係で上下方向に延在する縦長のハンドル、第１リンク及び第２リンクを夫々回り対偶を介して連結して連鎖を構成し、第１リンクの基端及び先端はそれぞれ第１枢軸及び第２枢軸で台座及びハンドルの上端部に枢着すると共に、第２リンクの先端及び基端はそれぞれ第３枢軸及び第４枢軸でハンドルの下端部及び台座に枢着し、第１枢軸及び第２枢軸の間隔を第３枢軸及び第４枢軸の間隔と同じくすると共に、第１枢軸及び第３枢軸の間隔を第２枢軸及び第４枢軸のそれと同じくし、以て、第１枢軸〜第４枢軸を順次結ぶ４個のリンクに平行四辺形リンク機構を形成させ、また、上記平行四辺形リンク機構にはそのリンク機構を第１リンクとハンドルとが鋭角をなす平常位置に戻すための戻しばねを弾装し、一方、上記第１枢軸と第４枢軸の間で、第１枢軸の近傍における台座に第５枢軸を設け、この第５枢軸によって連動リンクの一端を台座に回動可能に枢着すると共に、連動リンクの他端は軸と長孔の組で成る回動及び滑動可能な連係手段で第１リンクの先端に接続させ、以て、連動リンクの長さを第１リンクのそれより大きくし、他方、上記連動リンクの台座側の側面に錠箱の内側に延出する作動片を一体的に結合し、その先端を錠箱内のラッチの受動片に係合可能に臨ませ、ハンドルをそのストロークの限度内で一杯に押し引きしたとき、第１リンクに駆動されて回動する作動片の先端がラッチの受動片を変位させるようにしたことを特徴とする。
【０００９】
【発明の実施の形態】
以下、図面に示す実施例に基づいてこの発明について説明する。
この発明のハンドル装置は、出入口としての扉１０に設けるときは室外側及び室内側の両面に取り付けるのが普通であるが、物入れの扉に設けるときはその外方の面にのみ取り付ければ済む。
【００１０】
図示の実施例において、ハンドル装置は扉１０の内外両表面に取り付けられている。内外一対のハンドル装置における台座１、１は雌ねじと雄ねじとから成る取付ねじ９１で扉１０の両面に呼び付けて固定するとよい。
【００１１】
ここでは、扉１０の室外側（図１で右側）の表面に装着したハンドル装置を代表させて説明する。但し、図１において、ハンドル装置の下半部は上半部とほぼ同等の構造をなしているので、その記載は省略してある。
【００１２】
縦長の台座１は縦長のハンドル２を上下の端部で側面がＬ字状をなす第１リンク３１及び第２リンク３２を介して可動に支持する。図中、符号９２、９３、９４は台座１又はハンドル２に図示しない止めねじ等で固定された取付板で、ハンドル操作の諸部材を取り付けるために設けたものである。
【００１３】
ハンドル２の上下の取付部分２１、２１及び台座１における上下の取付部分１１、１１には、前記のアーム３１、３２、後述の戻しばね７及び連係リンク３３等を装着するため中空部がそれぞれ設けてある。
【００１４】
前記の第１リンク３１の基端及び先端はそれぞれ第１枢軸５１及び第２枢軸５２を介して台座１及びハンドル２の上端部に枢着してあり、また、第２リンク３２の先端及び基端はそれぞれ第３枢軸５３及び第４枢軸５４を介してハンドル２及び台座１の下端部に枢着してある。
【００１５】
なお、第１リンク３１及び第２リンク３２において、基端とは台座１側を言い、先端とはハンドル２側を言う。
【００１６】
前記の各枢軸は水平にして扉１０の表面に対し平行に前記の取付板９３又は９４を介して取り付けられている。
【００１７】
図２に示すように、第１、第２、第３及び第４枢軸５１〜５４を順次結ぶ４個のリンクは平行四辺形をなすリンク機構６を形成する。換言すれば、平行四辺形のリンク機構６は、扉１０に固定の台座１、第１リンク３１、ハンドル２及び第２リンク３２の両端を枢軸５１、５２、５３及び５４において順次連結して形成される。
【００１８】
リンク機構６における第１リンク３１及び第２リンク３２は共に基端から横に一体に延出する腕片を有してＬ字状をなし、両リンク３１、３２の腕片の間はハンドル２と平行な連結杆２２で結ばれている。連結杆２２の両端はそれぞれピン５７、５７によって両リンク３１、３２の腕片に枢着されている。
【００１９】
前記の連結杆２２は、リンク機構６に多少のガタが生じても、そのリンク機構６が作動に支障を来さないような平行四辺形を保つようにしたもので、この発明にとって必須ではないが設けたほうが好ましい。
【００２０】
固定の台座１に対し平行移動が可能なハンドル２は、両者１、２間に設けられた適当な移動制限手段、すなわち、任意のストッパによってその移動範囲が制限される。
【００２１】
符号７は台座１の取付部分１１、１１及びハンドル２の上下の取付部分２１、２１に上下で対をなして設けたねじりばね等の戻しばねで、リンク機構６はその戻しばね７で非操作状態の平常位置に戻る方向（矢印Ａと逆の方向）に付勢させてある。
【００２２】
図２及び図３には、戻しばね７は表わされているが、図１では図面の繁雑さを避けるためそのばね７の記入を省略してある。
【００２３】
次のこの発明の要部の構成について説明する。
台座１の一方の取付部分１１とハンドル２の一方の取付部分２１との間には、前記のリンク機構６の動きとは独立させた連動リンク３３を設ける。
【００２４】
連動リンク３３は側面を例えばＴ字状に形成し、その脚部３３ａを作動片とする。作動片３３ａの連動リンク３３に対する形成は一体としてもよいし、別体としたものを固設してもよい。
【００２５】
そして、その作動片３３ａは扉１０内であってラッチ錠の錠箱（図示しない）の内側に延出させ、ラッチの受動片２０に臨ませるなどして関連させる。
【００２６】
要するに、ハンドル２の押し引き操作により、ハンドル２がリンク機構６の作動に伴って台座１に対して平行移動した時、連動リンク３３はハンドル２の変位量を後述のように縮小させた上で、作動片３３ａを介し受動片２０に伝達し、ラッチ錠のラッチを後退させ又は後退を許容させて扉１０を開放できるようにする。
【００２７】
そのため、連動リンク３３の一端は第５枢軸５５で回動可能に枢着すると共に、連動リンク３３の他端は軸と長孔の組みでなる回動及び滑動可能な連係手段５６で接続させる。
【００２８】
図示例において連係手段５６の軸は空間を有効利用するために第２枢軸５２を兼用させてあるが、ハンドル２又は台座１に別に設けてもよい。図１で符号３３ｂは連動リンク３３に設けた第１枢軸５１に対する逃げ孔である。
【００２９】
第５枢軸５５並びに連係手段５６の軸は水平にして扉１０の表面に対し平行に設けるものとする。
【００３０】
連動リンク３３の両端部における前記した２つの軸の軸間距離は、第１リンク３１又は第２リンク３２の２つの枢軸５１、５２又は５４、５３の軸間距離よりも好ましくは１．７倍程度以上長くする。
【００３１】
前記のように連動リンク３３の軸間距離を第１リンク３１（又は第２リンク３２）のそれよりも長く形成した理由は、連動リンク３３の変位量（揺動角度）を第１リンク３１のそれよりも小さくする為である。
【００３２】
この理由を裏返せば、連動リンク３３の変位量が作動片３３ａを介してラッチの受動片２０の小さな変位量によって制限を受けても、第１リンク３１の変位量（揺動角度）はかなり大きくすることが可能となる。このことは、ハンドル２の操作ストロークを大きくできることに他ならない。
【００３３】
上記のように構成されたこの発明の一実施例による扉のハンドル装置は、扉１０の閉鎖状態（図１参照）において、平行四辺形のリンク機構６の１個のリンクをなす室内側のハンドル２を戻しばね７に抗して手で矢印Ａ方向に押すと、ハンドル２はリンク機構６において台座１を固定のリンクとして第１リンク３１及び第２リンク３２の揺動に伴って平行移動する。
【００３４】
その際、ハンドル２の変位に伴って連動リンク３３も揺動し、作動片３３ａも共に変位するので、ラッチの受動片２０を矢印Ｂ方向に押して変位させる。
【００３５】
そして、ラッチ錠のラッチを係止状態から解除することになるので、そのままハンドル２を押し続ければ、扉１０を矢印Ｐ方向に開放させることができる。
【００３６】
逆に、扉１０を閉鎖させハンドル２から手を離せば、変位していた各部材は戻しばね７の付勢力により当初の平常位置に戻る。
【００３７】
なお、図１において矢印Ｃは室外側のハンドル２の操作方向で、連動リンク３３の枢軸を室内側とは反対に上にしてあるので、室外側のハンドル２の引き操作により作動されるラッチの受動片の作動方向は室内側のハンドルを操作したときと同じＢ方向となる。
【００３８】
【発明の効果】
以上に説明したこの発明の扉のハンドル装置は、ハンドルを平行移動させる平行四辺形のリンク機構の他に、ハンドルの動きをラッチの受動片に伝えるための作動片を有する連動リンクを備えているので、ハンドルの操作ストロークを大きくすることを可能とし、操作者に安定した操作感を与え得るという効果を奏する。
【図面の簡単な説明】
【図１】この発明の扉のハンドル装置の実施例を示す縦断部分側面図。但し、同図において戻しばねはその記入が省略してある。
【図２】この発明の扉のハンドル装置を原理的かつ線図的に示す側面図。但し、同図は分り易くするためハンドルを少し押した状態において表している。
【図３】図１の実施例の拡大部分横断断面図。
【符号の説明】
１０  扉
２０  ラッチの受動片
１  台座
２  ハンドル
３１  第１リンク
３２  第２リンク
３３  連動リンク
３３ａ  作動片
５１  第１枢軸
５２  第２枢軸
５３  第３枢軸
５４  第４枢軸
５５  第５枢軸
５６  連係手段
【図１】
0003905156.tif 000002
【図２】
0003905156.tif 000003
【図３】
0003905156.tif 000004